(57)【特許請求の範囲】
【請求項１】
水平方向に延在し、培地が載置される植栽部が支持体によって支持される壁面緑化装置であって、
前記植栽部は、前記培地を下方から支持する床部と、前記床部とで水を貯める貯留部が画成されるように前記床部の後端部から立ち上がった後壁部と、前記床部における前記貯留部の前端部の位置に設けられた排水孔とを有し、
前記支持体は、前記植栽部の延在方向に平行な軸を回動軸として、前記植栽部を回動可能に支持することを特徴とする壁面緑化装置。
【請求項２】
前記支持体による前記植栽部の回動範囲が、前記床部が水平である状態から、前記後壁部の上端が後方に下がるように回動させて、前記床部の前記排水孔と前記後壁部の上端とが同じ高さになる状態までの回動範囲の少なくとも一部を含むことを特徴とする請求項１に記載の壁面緑化装置。
【請求項３】
複数段の前記植栽部を有し、
前記複数段の植栽部が、互いに独立して回動可能に前記支持体に支持されることを特徴とする請求項１または２に記載の壁面緑化装置。
【請求項４】
前記複数段の植栽部が上下方向に位置合わせされており、上段に配置された前記植栽部の前記排水孔からの排水が、下段に配置された前記植栽部で受けられることを特徴とする請求項３に記載の壁面緑化装置。
【請求項５】
前記植栽部は、前記排水孔から下方に垂れるとともに前記排水孔から下方に排出される水を案内する垂下部を更に有することを特徴とする請求項１〜４のいずれか一項に記載の壁面緑化装置。
【請求項６】
前記垂下部は、前記植栽部の前記床部と別体で形成されることを特徴とする請求項５に記載の壁面緑化装置。
【請求項７】
前記植栽部は、前記支持体側に、前記床部及び前記後壁部に連続して形成されるとともに前記植栽部の延在方向と直交する側壁部を更に有し、
前記植栽部は、前記側壁部において、連結手段により前記支持体に連結されることを特徴とする請求項１〜６のいずれか一項に記載の壁面緑化装置。
【請求項８】
給水源からの水を前記植栽部に導く導管を更に備えることを特徴とする請求項１〜７のいずれか一項に記載の壁面緑化装置。
【請求項９】
給水源からの水を最上段の前記植栽部に導く導管を更に備えることを特徴とする請求項４に記載の壁面緑化装置。
【発明の詳細な説明】
【技術分野】
【０００１】
本発明は、植物を植える培地を支持する壁面緑化装置に関するものである。
【背景技術】
【０００２】
従来、このような分野の技術として、例えば、特許文献１，２に記載されたものがある。特許文献１には、建物の外壁面に、植物を植える植栽部を複数段設けた壁面緑化装置が開示され、植栽部の底部付近に設けられた通水孔により、上段の植栽部内から下段の植栽部に通水することが記載されている。また、特許文献２には、植物を植える植栽部を複数段設け、各植栽部の両端を支持体によって回動可能に支持する緑化装置が開示され、植栽部の底部に設けられた排水孔により上段の植栽部内から下段の植栽部に通水することが記載されている。
【先行技術文献】
【特許文献】
【０００３】
【特許文献１】特開２００７−２１５５１６号公報
【特許文献２】特開２００９−２９１０９８号公報
【発明の概要】
【発明が解決しようとする課題】
【０００４】
ここで、植物は、その成長段階により必要な水の量が異なるため、必要に応じ植栽部内の培地に含まれる水の量を調節する必要がある。しかしながら、特許文献１の装置では、常に一定量の水が貯留される構成であり、貯留する水の量を調節することはできない。また、特許文献２の装置では、植栽部の底部に排水孔が設けられており、植栽部内に水を貯留することは想定されていない。
【０００５】
そこで本発明は、植栽部に貯留される水の量を調節可能な壁面緑化装置を提供することを目的とする。
【課題を解決するための手段】
【０００６】
本発明に係る壁面緑化装置は、水平方向に延在し、培地が載置される植栽部が支持体によって支持される壁面緑化装置であって、植栽部は、培地を下方から支持する床部と、床部とで水を貯める貯留部が画成されるように床部の後端部から立ち上がった後壁部と、床部における貯留部の前端部の位置に設けられた排水孔とを有し、支持体は、植栽部の延在方向に平行な軸を回動軸として、植栽部を回動可能に支持することを特徴とする。
【０００７】
この壁面緑化装置においては、支持体が植栽部を回動可能に支持しており、床部と後壁部とで画成された貯留部内に貯留される水の許容量は、支持体に対する植栽部の回動位置に応じて変化する。そして、貯留部の許容量を超えると、貯留部の前端部の位置に設けられた排水孔から水が排出される。従って、本発明に係る壁面緑化装置においては、植栽部を回動させることにより、植栽部に植栽する植物の種類や成長段階に応じて、植栽部の貯留部に貯留される水の量を調節することができる。
【０００８】
また、支持体による植栽部の回動範囲が、床部が水平である状態から、後壁部の上端が後方に下がるように回動させて、床部の前記排水孔と後壁部の上端とが同じ高さになる状態までの回動範囲の少なくとも一部を含むことが好適である。
この構成によれば、植栽部の回動範囲を貯留部内に水を貯留可能な適切な回動範囲とすることができる。
【０００９】
また、複数段の植栽部を有し、複数段の植栽部が、互いに独立して回動可能に支持体に支持されることが好適である。
この構成によれば、植栽部を各段毎に互いに独立して回動させることにより、貯留部に貯留される水の量を植栽部の各段毎に調節することができる。
【００１０】
また、複数段の植栽部が上下方向に位置合わせされており、上段に配置された植栽部の排水孔からの排水が、下段に配置された植栽部で受けられることが好適である。
この構成によれば、上段に配置された植栽部の排水孔からの排水が下段の植栽部に供給され、壁面緑化装置に供給する水を効率よく利用することができる。
【００１１】
また、植栽部は、排水孔から下方に垂れるとともに排水孔から下方に排出される水を案内する垂下部を更に有することが好適である。
この構成によれば、排水孔から垂下部を伝って排水されるため、垂下部によって排水位置の調節が可能となり、所望の位置に排水することができる。
【００１２】
また、垂下部は、植栽部の床部と別体で形成されることが好適である。
この構成によれば、植栽部の設計の自由度を向上させることができる。また、垂下部を床部とは異なる材料によって形成することが可能となり、垂下部として好適な材料を選択することができる。
【００１３】
また、植栽部は、支持体側に、床部及び後壁部に連続して形成されるとともに植栽部の延在方向と直交する側壁部を更に有し、植栽部は、側壁部において、連結手段により支持体に連結されることが好適である。
この構成によれば、植栽部は側壁部において連結手段によって支持体に連結され、植栽部は支持体に回動可能に好適に連結される。
【００１４】
また、給水源からの水を植栽部に導く導管を更に備えることが好適である。
この構成によれば、導管を通じて植栽部に水が供給され、植栽部に植栽された植物に水を供給することができる。
【００１５】
また、給水源からの水を最上段の植栽部に導く導管を更に備えることが好適である。
この構成によれば、最上段の植栽部に供給された水を、最下段の植栽部まで順次供給することができ、効率よく水を利用することができる。
【発明の効果】
【００１６】
本発明によれば、植栽部に貯留される水の量が調節可能となる。
【図面の簡単な説明】
【００１７】
【図１】本発明に係る壁面緑化装置の正面図である。
【図２】図１の壁面緑化装置を側方から見た断面図である。
【図３】図２の壁面緑化装置の植栽部の拡大断面図である。
【図４】図１の壁面緑化装置における植栽部の上面図である。
【図５】図３の植栽部を回動させた状態を示す図である。
【図６】図１の壁面緑化装置の植栽部に植物を植栽した状態を示す図である。
【発明を実施するための形態】
【００１８】
以下、本発明に係る壁面緑化装置の一実施形態について、添付図面を参照しつつ詳細に説明する。なお、同一又は同等の要素については同一の符号を付し、説明が重複する場合にはその説明を省略する。本明細書における「水」とは、純水や水道水、農業用水に限らず、例えば、植物の育成に利用される液体肥料等が含まれるものとする。
【００１９】
図１及び図２に示されるように、壁面緑化装置１は、水平方向に延在する複数段の植栽部１０と、各植栽部１０の両端を支持する一対の支持体２と、支持体２の下端にそれぞれ取り付けられた一対の台座３と、台座３の下面側に取り付けられたキャスター４と、一対の支持体２の間を覆うカバー２０と、支持体２の上端に一対の支持体２を跨ぐように被せられたキャップ５とを有している。
【００２０】
植栽部１０は、本実施形態では上下方向に５段配置され、上下方向に互いに位置合わせされている。植栽部１０には、その延在方向に沿って、植物が植栽された培地４１（図６参照）が載置される。なお、この培地４１として、例えば、ポリウレタン等の樹脂発泡体や、ロックウール等の無機繊維をフェノール樹脂等の樹脂を接着剤として成形した成形体を用いることができ、直方体状に形成されたものが好適である。また、植栽部１０に載置される直方体状に成形された培地４１の数は、その大きさにより１つであっても２以上の複数であっても良い。植栽された植物の交換の容易さ等から、植栽部１０の延在方向に複数の培地４１を並べて載置することが好適である。
【００２１】
カバー２０は、一対の支持体２の間で植栽部１０の背面側を覆い、最下段に配置された植栽部１０の位置よりも下側の領域においては、一対の支持体２の間で植栽部１０の前面側に対応する位置を覆う。また、カバー２０には、最下段の植栽部１０の直下に、上方から落ちる水を受ける排水受部２１が設けられている。
【００２２】
壁面緑化装置１の外部には、壁面緑化装置１の植栽部１０に水を供給する給水源３０が設けられており、給水源３０は、各段の植栽部１０に導管Ｌ１を介して、水を供給する。本実施形態においては、上から１段目（最上段）、３段目、５段目といった様に一段おきに、植栽部１０に水を供給する。詳しくは後述するが、植栽部１０に供給された水のうち、許容量を超えた水については、排水孔１３（図３参照）から下方に排水される。排水は、排水受部２１によって受け止められ、必要に応じて排水管Ｌ２を介して給水源３０に戻される。
【００２３】
次に、植栽部１０の詳細について説明する。図３及び図４に示されるように、植栽部１０は、培地を下方から支持する床部１１と、床部１１とで水を貯める貯留部１６が画成されるように床部１１の後端部から立ち上がった後壁部１２と、床部１１における貯留部１６の前端部の位置に設けられた排水孔１３と、植栽部１０の延在方向の両端に、床部１１及び後壁部１２に連続して形成されるとともに、植栽部１０の延在方向と直交する側壁部１４と、を有している。
【００２４】
植栽部１０は、ステンレス等の金属板によって屈曲成型されており、床部１１から後壁部１２が立ち上がった形状とされている。側壁部１４は、屈曲成型されていてもよく、溶接等によって床部１１や後壁部１２と液密に接続してもよい。なお、植栽部１０は、防食性があり、載置された培地４１とその培地４１に植栽された植物と培地４１に保持された水の合計重量に耐えられる強度を持つ材料であれば良く、金属板以外にはアクリル板、ポリカーボネート板等の樹脂板やＦＲＰ板等が挙げられる。
【００２５】
植栽部１０の床部１１、後壁部１２及び側壁部１４よって、水を貯留する貯留部１６が画成されている。この貯留部１６は、床部１１及び後壁部１２によって形成されるＶ字状の底部を有する。貯留部１６の前端部の位置の床部１１には、床部１１を貫通する排水孔１３が設けられている。即ち、排水孔１３は、後壁部１２から所定距離（貯留部１６の奥行き長さ）だけ離間している。排水孔１３の後壁部１２からの離間距離を変更することにより、貯留部１６が貯留可能な水の許容量を調整することができ、上段の排水孔１３から排水された水が植栽部１０に載置された培地４１に滴下する位置を調整することもできる。
【００２６】
また、排水孔１３の後壁部１２からの離間距離は、床部１１の後壁部１２が立ち上がる側の端を０、床部１１の後壁部１２が立ち上がる側と反対側の端を１０とした場合に３〜６の位置が好ましい。上段の排水孔１３から排水された水は、植栽部１０に載置された培地４１に滴下した後、貯留部１６に貯留されるか又は排水孔１３から排水される間に培地４１内を移動する。この時、離間距離が３未満であると、培地４１全体に水が行き渡らず培地４１に植栽された植物に水が供給できなくなるおそれがある。また、離間距離が６を超えると、培地４１に植栽された植物に供給される水の量が過剰になったり、培地４１に植栽された植物に直接水が滴下し培地４１に水が吸収されにくくなるおそれがある。更に、離間距離が３未満であると、貯留部１６に貯留可能な水の許容量が少なく培地４１が乾燥しやすくなり、離間距離が６を超えると貯留部１６に貯留可能な水の許容量が多くなり培地４１内の水の貯留部１６に貯留する時間が長くなるため、植物の成長に悪影響を与えるおそれがある。貯留部１６の許容量を超えた水は、排水孔１３から排出される。排水孔１３は、床部１１において、植栽部１０の延在方向に所定の間隔を空けて複数設けられている。また、図１に示すように、植栽部１０の床部１１に設けられる排水孔１３は、上下に隣り合う段で、植栽部１０の各段毎に、植栽部１０の延在方向の位置がずらされている。
【００２７】
床部１１上には、排水孔１３から下方に垂れる垂下部１５０が取り付けられている。この垂下部１５０は、床部１１に載置された垂下板１５の一部であり、垂下板１５は、複数の櫛歯部１５ａと、櫛歯部１５ａの基端側の端部同士を連結する本体部１５ｂとによって構成されている。櫛歯部１５ａは、床部１１に設けられた排水孔１３に対応した位置に設けられており、壁面緑化装置の側面方向から見たときにＬ字状を成している。また、櫛歯部１５ａの先端部は、排水孔１３を貫通して排水孔１３から植栽部１０の下方に垂れ、排水孔１３から下方に排出される水を案内する。櫛歯部１５ａのうち、排水孔１３から垂下した部位が垂下部１５０に相当する。垂下板１５は、植栽部１０同様、ステンレス等の金属によって形成されている。なお、垂下板１５は、アクリル板、ポリカーボネート板等の樹脂板やＦＲＰ板等でも良い。
【００２８】
また、個々の植栽部１０の側壁部１４には、回動軸孔１４ａと回動固定孔１４ｂとが設けられている。回動軸孔１４ａには、ボルト１７ａ（連結手段）が挿通され、支持体２に設けられたねじ孔にボルト１７ａがねじ込まれることにより、植栽部１０と支持体２とがボルト１７ａによって回動可能に連結される。植栽部１０は、ボルト１７ａを軸として回動する。また、回動固定孔１４ｂは、回動軸孔１４ａを中心とする円弧状のスリットである。回動固定孔１４ｂには、ボルト１７ｂ（連結手段）が挿通され、支持体２に設けられたねじ孔にボルト１７ａがねじ込まれることにより、植栽部１０と支持体２とがボルト１７ｂによって固定可能に連結される。以上のように、植栽部１０は、回動軸孔１４ａに通されたボルト１７ａを軸として回動可能であり、また、回動固定孔１４ｂに通されたボルト１７ｂによって、所望の回動位置で固定される。また、ボルト１７ｂを緩めることにより、適宜、個々の植栽部１０の回動位置を変更することができる。従って、植栽部１０は、各段毎に互いに独立して回動可能となっている。また、植栽部１０の側壁部１４と支持体２とを固定する方法は、上述のボルトを用いる方法だけでなく、例えば植栽部１０の側壁部１４と支持体２とを共にクリップ（連結手段）で挟んで固定する方法もある。
【００２９】
植栽部１０の回動範囲は、床部１１が水平である状態から、後壁部１２の上端が後方に下がるように回動させて、床部１１の排水孔１３と後壁部１２の上端とが同じ高さになる状態までの回動範囲の少なくとも一部を含んでいる。この回動範囲は、例えば、床部１１が水平である状態から、後壁部１２の上端が後方に下がるように３０度回動させた状態までの範囲とすることができる。
【００３０】
このように、植栽部１０を回動させることにより貯留部１６に貯留される水の許容量を変えることができる。即ち、床部１１が水平状態の場合には、貯留部１６における水の許容量はゼロとなる。また、図３に示すように、植栽部１０の状態が、床部１１の後端位置が排水孔１３よりわずかに低い場合、貯留部１６における水の許容量は少ないものとなる。また、図５（ａ）に示すように、図３に示す植栽部１０の回動状態から、後壁部１２の上端が後方に下がるように回動させた場合、図３に示す植栽部１０の状態よりも、貯留部１６における水の許容量が多くなる。更に、図５（ｂ）に示すように、図５（ａ）に示す植栽部１０の回動状態から、後壁部１２の上端が後方に下がるように回動させた場合、図５（ａ）に示す植栽部１０の状態よりも、貯留部１６における水の許容量が多くなる。
【００３１】
植栽部１０には導管Ｌ１から水が供給され、供給された水は貯留部１６に貯留される。貯留部１６に貯留される水の水位が上昇すると、排水孔１３から排水される。垂下部１５０を設けることにより、垂下部１５０を伝って下方に排水されるため、床部１１の裏面を伝うこと無く、所望の位置に排水させることができる。従って、図６に示すように、各植栽部１０に、植物４０が植えられた培地４１を載置したときに、上段の植栽部１０の排水孔１３からの排水が、垂下部１５０を伝って下段の植栽部１０に載置された培地４１に滴下される。
【００３２】
本実施形態は以上のように構成され、支持体２が植栽部１０を回動可能に支持しており、床部１１と後壁部１２とで画成された貯留部１６内に貯留される水の許容量は、支持体２に対する植栽部１０の回動位置に応じて変化する。そして、貯留部１６の許容量を超えると、貯留部１６の前端部の位置に設けられた排水孔１３から水が排出される。従って、本実施形態に係る壁面緑化装置１においては、植栽部１０を回動させることにより、植栽部１０に植栽する植物の種類（水を多く必要とする抽水植物や、多くの水を必要としないセダム類等）や成長段階に応じて、植栽部１０の貯留部１６に貯留される水の量を調節することができる。
【００３３】
また、植栽部１０を各段毎に互いに独立して回動させることにより、貯留部１６に貯留される水の許容量を植栽部１０の各段毎に調節することができる。これにより、例えば、植栽部１０の各段に異なる植物を植栽した場合であっても、貯留部１６内に貯留される水の量を、各段毎に最適な量とすることができる。
【００３４】
また、導管Ｌ１から植栽部１０に供給された水は、その一部が、植栽部１０に載置された培地４１によって吸水されて蓄えられる。また、植栽部１０の貯留部１６にも水が貯留される。貯留部１６における水の許容量を超えて供給された水は、排水孔１３から下段の植栽部１０に排水される。下段に排水された水は、下段の植栽部１０に載置された培地４１の上部から吸水される。培地４１による吸水可能な量を超えた水は、貯留部１６によって貯留される。そして、上述の場合と同様に、貯留部１６における水の許容量を超えて供給された水が、排水孔１３から下段の植栽部１０に排水される。このように、上段の植栽部１０の排水孔１３からの排水が下段の植栽部１０に供給されるため、水を効率よく植栽部１０に植栽された植物４０に供給することができる。
【００３５】
また、排水孔１３から垂下部１５０を伝って排水されるため、垂下部１５０によって排水位置の調節が可能となり、所望の位置に排水することができる。
【００３６】
また、垂下部１５０と床部１１とが別体であるので、植栽部１０の設計の自由度を向上させることができる。
【００３７】
また、植栽部１０の側壁部１４に設けられた回動軸孔１４ａ及び回動固定孔１４ｂとボルト１７ａ，１７ｂを用いて、支持体２に植栽部１０を回動可能に好適に連結することができる。
【００３８】
また、最上段の植栽部１０に水を供給することにより、最下段の植栽部１０まで順次、水が供給され、効率よく水を利用することができる。
【００３９】
本発明は、前述した実施形態に限定されないことは言うまでもない。
【００４０】
例えば、垂下部１５０を、排水孔１３から垂らすものとしたが、柔軟性を有するフィルム状の垂下部を排水孔１３の縁に取り付けてもよい。この場合には、植栽部１０の回動角度によらず、常に垂下部が真下に垂れることとなり、排水孔１３から垂下部を伝ってより好適に排水することができる。このように、床部と垂下部とを別体で形成することにより、垂下部を床部とは異なる材料によって形成することが可能となり、垂下部としてポリプロピレンやポリエチレン等のフィルムやシート、綿等の天然繊維製やポリエステル等の化学繊維製の布帛等から好適な材料を選択することができる。また、板状の垂下部を排水孔１３の近傍に蝶番によって取り付けてもよい。この場合にも、垂下部を常に真下に垂らすことができる。なお、床部１１と垂下部１５０とを一体に形成してもよい。
【００４１】
また、床部１１に設けられた排水孔１３を所定の間隔を空けて設けられた孔としたが、植栽部１０の延在方向に延びるスリットであってもよい。また、植栽部１０を回動可能に支持体２に支持させる構成については、適宜の機構を用いることができる。
【００４２】
また、植栽部１０に水を供給する際に、最上段の植栽部１０だけに水を供給してもよく、全ての段の植栽部１０に水を供給してもよい。
【符号の説明】
【００４３】
１…壁面緑化装置、２…支持体、１０…植栽部、１１…床部、１２…後壁部、１３…排水孔、１４…側壁部、１６…貯留部、１７ａ，１７ｂ…ボルト（連結手段）、３０…給水源、１５０…垂下部、Ｌ１…導管。
【図１】
0005488422.tif 000002
【図２】
0005488422.tif 000003
【図３】
0005488422.tif 000004
【図４】
0005488422.tif 000005
【図５】
0005488422.tif 000006
【図６】
0005488422.tif 000007